(57)【要約】【課題】小遊技動体の表面に付着したゴミや汚れを確実に除去して遊技機へ供給することが可能な小遊技動体供給装置を低コストに提供する。【解決手段】遊技機へ小遊技動体を供給する小遊技動体供給装置であって、小遊技動体が転動しながら通過する通過路と、前記通過路を通過する小遊技動体の表面の汚れを除去する清掃手段と、前記通過路を通過する小遊技動体を不規則に回転させながら転動させる転動手段とを備えた小遊技動体供給装置。【選択図】  図５
2012011178.tif 000002
【特許請求の範囲】
【請求項１】
遊技機へ小遊技動体を供給する小遊技動体供給装置であって、
小遊技動体が転動しながら通過する通過路と、
前記通過路を通過する小遊技動体の表面の汚れを除去する清掃手段と、
前記通過路を通過する小遊技動体を不規則に回転させながら転動させる転動手段と
を備えたことを特徴とする小遊技動体供給装置。
【請求項２】
請求項１に記載の小遊技動体供給装置において、
前記転動手段は、前記通過路の底面側に形成された転動面を備え、
前記転動面は、小遊技動体の進行方向に沿って連続する複数個の山形を備えたことを特徴とする小遊技動体供給装置。
【請求項３】
請求項２に記載の小遊技動体供給装置において、
前記転動面は、第１転動面および第２転動面を備え、
前記第１転動面は、小遊技動体の進行方向に沿って一列に並べられた複数個の第１傾斜面および前記第２傾斜面を備え、
前記第１傾斜面は、小遊技動体の進行方向と同一方向に俯角を成して傾斜し、
前記第２傾斜面は、小遊技動体の進行方向に対して反対方向に俯角を成して傾斜し、
前記第１傾斜面と前記第２傾斜面は交互に配置されて連続する複数個の山形が形成され、
前記第２転動面は、小遊技動体の進行方向に沿って一列に並べられた複数個の第３傾斜面および前記第４傾斜面と、平坦面とを備え、
前記第３傾斜面および前記第４傾斜面はそれぞれ、前記第１傾斜面および前記第２傾斜面と同一寸法形状で且つ同一俯角を成しており、小遊技動体の進行方向の片側にて前記第１傾斜面および前記第２傾斜面と対称な位置に配列され、
前記第３傾斜面と前記第４傾斜面は交互に配置されて連続する複数個の山形が形成され、その連続する山形の間に前記平坦面が配置されていることを特徴とする小遊技動体供給装置。
【請求項４】
請求項１〜３のいずれか１項に記載の小遊技動体供給装置において、
前記清掃手段によって除去された小遊技動体の汚れを前記通過路から排出する排出手段を備えたことを特徴とする小遊技動体供給装置。
【請求項５】
請求項１〜４のいずれか１項に記載の小遊技動体供給装置において、
前記清掃手段は、小遊技動体の表面から汚れを除去する汚れ除去手段と、
その汚れ除去手段を前記通過路に対して着脱自在に取付固定する第１取付手段を備えたことを特徴とする小遊技動体供給装置。
【請求項６】
請求項１〜５のいずれか１項に記載の小遊技動体供給装置において、
前記通過路が遊技機に対して俯角を成すように、前記通過路の取付角度を設定する角度設定手段を備えたことを特徴とする小遊技動体供給装置。
【請求項７】
請求項６に記載の小遊技動体供給装置において、
前記角度設定手段は、
前記通過路に小遊技動体を送り込む第１コイルホースと、
前記通過路から小遊技動体を送り出す第２コイルホースと
を備え、
前記第１コイルホースおよび前記第２コイルホースは、線材が螺旋コイル状に巻回されて形成されていることを特徴とする小遊技動体供給装置。
【請求項８】
請求項７に記載の小遊技動体供給装置において、
前記第１コイルホースの内部にて小遊技動体を係止する係止手段を備え、
前記係止手段は、前記第１コイルホースを形成する線材の間に割り込み、前記第１コイルホースの内部に突出することにより、小遊技動体に当接して係止する係止突起を備えたことを特徴とする小遊技動体供給装置。
【請求項９】
請求項７または請求項８に記載の小遊技動体供給装置において、
前記第１コイルホースを前記通過路に対して着脱自在に取付固定する第２取付手段を備え、
第２取付手段は、前記第１コイルホースを形成する線材の間に割り込み、前記線材の間に挟み込まれて脱落不能に係合する係合突起を備えたことを特徴とする小遊技動体供給装置。
【請求項１０】
請求項９に記載の小遊技動体供給装置において、
前記清掃手段および前記転動手段を備えた前記通過路を、前記第２取付手段に対して着脱自在に取付固定する第３取付手段を備えたことを特徴とする小遊技動体供給装置。
【発明の詳細な説明】
【技術分野】
【０００１】
本発明は小遊技動体供給装置に係り、詳しくは、遊技機へ小遊技動体を供給する小遊技動体供給装置に関するものである。
【背景技術】
【０００２】
パチンコ店（パチンコホール）内では、一列に並べられた多数台のパチンコ台が「パチンコ島」（または「島」「島ユニット」）と呼ばれる設備に設置されている。
パチンコ島には、玉回収樋（玉回収路）、玉供給樋（玉供給路）、パチンコ玉の揚送装置がそれぞれ１台ずつ設置されている。
玉回収樋はパチンコ島の下方に配置され、玉供給樋はパチンコ島の上方に配置され、玉回収樋および玉供給樋は揚送装置に接続されている。
【０００３】
そして、パチンコ台の遊技盤面を転動し終えたパチンコ玉（アウト玉）は当該パチンコ台の外部へ排出され、パチンコ島に設置されている個々のパチンコ台から排出されたパチンコ玉は玉回収樋を通って揚送装置に集められ、その集められたパチンコ玉は揚送装置によって玉供給樋まで引き上げられ、その引き上げられたパチンコ玉は玉供給樋を通って個々のパチンコ台へ供給される、という具合に、パチンコ玉をパチンコ島の内部で循環させている。
【０００４】
そのため、パチンコ島に設置されている個々のパチンコ台から排出されたパチンコ玉が個々のパチンコ台に供給されるまでの間に、パチンコ玉同士の接触や通過経路（玉回収樋、玉供給樋、揚送装置）との接触により、パチンコ玉の表面に汚れやゴミが付着することがあり、そのパチンコ玉の汚れやゴミがパチンコ台の遊技盤面に付着して遊技盤が汚されるおそれがある。
【０００５】
パチンコ台の遊技盤面が汚されると、そのパチンコ台で遊技を行う遊技者の興趣は甚だしく削がれることになる。
そのため、パチンコ玉によって汚された遊技盤面を清掃するとなると、その清掃作業はパチンコ店の営業終了後に行うことになり、清掃作業にかかる時間および費用はパチンコ店の経営に重くのし掛かることになる。
そこで、パチンコ台の遊技盤面がパチンコ玉によって汚されないように、パチンコ玉の表面に付着したゴミや汚れを除去することが要求されている。
【０００６】
従来より、揚送装置の内部にパチンコ玉の研磨装置を備えておき、揚送装置によってパチンコ玉を引き上げる際に、研磨装置によってパチンコ玉を研磨することにより、パチンコ玉に付着したゴミや汚れを除去する方策がとられていた。
【０００７】
また、特許文献１には、パチンコ遊技機から排出されたパチンコ玉を上皿へ導く移送路（ガイド）が上下縦方向に伸び、その移送路は平行に配置された少なくとも３本の棒状体から成り、その棒状体の内側にパチンコ玉を通過させるための案内スペースが設けられ、移送路に対して研磨具が着脱自在に取り付けられ、案内スペースを通過するパチンコ玉を研磨する研磨手段を備え、研磨手段は不織布であることが開示されている（請求項１，４，５参照）。
そして、特許文献１には、パチンコ玉を移送路の内側の空間に１個ずつ押し込むことにより、パチンコ玉を上方に押し上げる機能を有した玉移送機構（玉揚げ機構）を備えることが開示されている（段落［００２２］参照）。
さらに、特許文献１には、研磨手段（研磨具）は第１部材と第２部材からなり、断面コ字形状に形成されその内側に不織布である研磨材が設けられた第１部材の内側に移送路を収めた状態で第１部材と第２部材を固定して移送路に取り付けられ、研磨材は移送路に研磨手段が固定されたときに棒状体の隙間から案内スペースに入り込み、そこを通過するパチンコ玉を研磨することが開示されている（段落［００２４］参照）。
加えて、特許文献１には、４本の棒状体の隣接するもの同士が作る４つの隙間のうちの２箇所以上から研磨材が案内スペースに入り込むようにすることで、前記４つの隙間のうちの２箇所以上から研磨材によるパチンコ玉の研磨を行うことが開示されている（段落［００２５］参照）。
【０００８】
特許文献２には、遊技盤の遊技領域に遊技球を発射する発射手段と、発射手段に遊技球を供給する供給手段とを備え、供給手段は、遊技球を供給する供給路と、供給路を通過する遊技球を研磨する研磨手段とを有し、研磨手段は、遊技球を搬送する搬送手段と、搬送手段を駆動させる搬送駆動手段と、搬送手段の対向する位置に設けられ搬送手段によって搬送される遊技球を研磨する研磨部材とを有する遊技機が開示されている（請求項１，２参照）。
また、特許文献２には、研磨部材が研磨布であることが開示されている（段落［００６６］参照）。
【０００９】
特許文献３には、パチンコ玉補給用樋から各遊技機に補給される玉補給路部において、パチンコ玉の径よりも僅かに大きい径の円形状貫通孔を有し、且貫通孔の外側に同心円の小孔を複数穿設せしめたフランジを別設し、パチンコ玉の径よりも僅かに大きい径の玉通路部を有する複数本のワイヤーを等間隔を確保しながらワイヤーの左右両端部を両フランジの小孔に夫々取着し、フランジの外側部にパチンコ玉が貫通し、フランジの円形状貫通孔と合致する貫通孔を、且外側にネジを刻設した形状の嵌挿部を取着せしめ形成すると共に、玉補給路部に両嵌挿部を接続せしめるようにしたパチンコ玉付着のゴミ除去器具が開示されている（請求項１参照）。
【先行技術文献】
【特許文献】
【００１０】
【特許文献１】特開２００７−１６００２０号公報
【特許文献２】特開２００７−１９５６３０号公報
【特許文献３】特開平８−１０３５５８号公報
【発明の概要】
【発明が解決しようとする課題】
【００１１】
揚送装置の内部にパチンコ玉の研磨装置を備える技術では、揚送装置によって引き上げられたパチンコ玉は研磨されているものの、パチンコ玉が玉供給樋を通って個々のパチンコ台へ供給される間に、パチンコ玉同士の接触や玉供給樋との接触により、パチンコ玉に汚れやゴミが付着するという問題がある。
【００１２】
特許文献１の技術では、パチンコ玉を研磨する研磨手段が、パチンコ台から排出されたパチンコ玉を同じパチンコ遊技機の上皿へ導く移送路に取り付けられており、１台のパチンコ遊技機内でパチンコ玉を循環させている。
そして、特許文献１には、パチンコ玉をパチンコ島の内部で循環させることについて、一切開示されておらず示唆すらもされていない。
そのため、特許文献１の技術は、多数台のパチンコ台が設置されたパチンコ島には適用できないという問題がある。
【００１３】
また、特許文献１の技術は、玉移送機構によりパチンコ玉を移送路の内側の空間に１個ずつ押し込んで上方に押し上げ、研磨手段を構成する第１部材は断面コ字形状に形成され、その内部に不織布である研磨材が設けられ、研磨材は移送路に研磨手段が固定されたときに棒状体の隙間から案内スペースに入り込み、そこを通過する玉を研磨するものである。
そのため、特許文献１の技術では、パチンコ玉がほとんど回転せずにゆっくりと移送路を通過することになり、パチンコ玉の全面を確実に研磨することができないという問題がある。
【００１４】
尚、特許文献１には、４本の棒状体の隣接するもの同士が作る４つの隙間のうちの２箇所以上から研磨材によるパチンコ玉の研磨を行うことが開示されているが、パチンコ玉がほとんど回転せずにゆっくりと移送路を通過するとなると、前記２箇所以上から研磨材によるパチンコ玉の研磨を行ったとしても、パチンコ玉の全面を研磨することは困難である。
【００１５】
特許文献２の技術では、遊技球を搬送する搬送手段と、搬送手段を駆動させる搬送駆動手段とを備えるため、遊技機の構造が複雑化して製造コストが増大するという問題がある。
また、特許文献２の技術では、搬送駆動手段の動力が必要となるため、遊技機の運用コストが増大するという問題もある。
【００１６】
特許文献３の技術では、ワイヤーによって形成されている貫通孔を通過するとき、パチンコ玉の表面がワイヤーの内側面に接触しながら通過するため、パチンコ玉の表面に付着しているゴミや木くずがこすられて、ワイヤーの間の間隙部より落下するとしている（段落［００１４］参照）。
しかし、特許文献３の技術では、パチンコ玉の表面に付着している汚れがワイヤーでこすった程度では除去できないため、パチンコ玉の汚れが残ったままとなり、パチンコ台の遊技盤面が汚されるという問題がある。
【００１７】
ところで、パチンコ台に限らず、小遊技動体（例えば、遊技球、遊技メダル、ボーリング球など）を遊技盤上に転動させて遊技を行う方式の遊技機（例えば、ピンボール機、ボーリングゲーム機、玉突き機など）では、パチンコ台と同様に、遊技機に供給される小遊技動体の表面に付着したゴミや汚れを除去することが要求されている。
【００１８】
本発明は前記要求を満足させると共に前記各問題を解決するためになされたものであって、その目的は、小遊技動体の表面に付着したゴミや汚れを確実に除去して遊技機へ供給することが可能な小遊技動体供給装置を低コストに提供することにある。
【課題を解決するための手段】
【００１９】
本発明者は前記課題を解決するために鋭意検討を重ねた結果、下記のように本発明の各局面に想到した。
【００２０】
＜本発明の第１の局面＞
第１の局面は、遊技機へ小遊技動体を供給する小遊技動体供給装置であって、
小遊技動体が転動しながら通過する通過路と、
通過路を通過する小遊技動体の表面の汚れを除去する清掃手段と、
通過路を通過する小遊技動体を不規則に回転させながら転動させる転動手段とを備えた小遊技動体供給装置である。
【００２１】
第１の局面によれば、転動手段により小遊技動体を不規則に回転させながら、清掃手段により小遊技動体の表面の汚れを除去するため、小遊技動体の表面にゴミや汚れが付着していても、小遊技動体の全面から汚れを確実に除去して遊技機へ供給することができる。
【００２２】
＜本発明の第２の局面＞
第２の局面は、第１の局面において、
転動手段は、通過路の底面側に形成された転動面を備え、
転動面は、小遊技動体の進行方向に沿って連続する複数個の山形を備えたことを小遊技動体供給装置である。
【００２３】
第２の局面によれば、転動面の上を転動する小遊技動体は、小遊技動体の進行方向に沿って連続する複数個の山形によって不規則に弾かれながら転動するため、小遊技動体を不規則に回転させながら転動させることが可能になり、第１の局面の作用・効果を確実に得られる。
【００２４】
＜本発明の第３の局面＞
第３の局面は、第２の局面において、
転動面は、第１転動面および第２転動面を備え、
第１転動面は、小遊技動体の進行方向に沿って一列に並べられた複数個の第１傾斜面および第２傾斜面を備え、
第１傾斜面は、小遊技動体の進行方向と同一方向に俯角を成して傾斜し、
第２傾斜面は、小遊技動体の進行方向に対して反対方向に俯角を成して傾斜し、
第１傾斜面と第２傾斜面は交互に配置されて連続する複数個の山形が形成され、
第２転動面は、小遊技動体の進行方向に沿って一列に並べられた複数個の第３傾斜面および第４傾斜面と、平坦面とを備え、
第３傾斜面および第４傾斜面はそれぞれ、第１傾斜面および第２傾斜面と同一寸法形状で且つ同一俯角を成しており、小遊技動体の進行方向の片側にて第１傾斜面および第２傾斜面と対称な位置に配列され、
第３傾斜面と第４傾斜面は交互に配置されて連続する複数個の山形が形成され、その連続する山形の間に平坦面が配置されている小遊技動体供給装置である。
【００２５】
第３の局面によれば、第１〜第４傾斜面および平坦面により、小遊技動体は不規則に弾かれながら転動するため、小遊技動体の回転の不規則性を高めることが可能になり、第２の局面の作用・効果を確実に得られる。
【００２６】
＜本発明の第４の局面＞
第４の局面は、第１〜第３の局面において、
清掃手段によって除去された小遊技動体の汚れを通過路から排出する排出手段を備えた小遊技動体供給装置である。
【００２７】
第４の局面によれば、通過路の内部に小遊技動体のゴミや汚れが溜まることが無いため、小遊技動体から除去されたゴミや汚れが、その後に転動されてくる小遊技動体に付着するのを防止できると共に、ゴミや汚れが障害物となって小遊技動体の転動が阻害されるのを防止できる。
【００２８】
＜本発明の第５の局面＞
第５の局面は、第１〜第４の局面において、
清掃手段は、小遊技動体の表面から汚れを除去する汚れ除去手段と、
その汚れ除去手段を通過路に対して着脱自在に取付固定する第１取付手段を備えた小遊技動体供給装置である。
【００２９】
第５の局面によれば、小遊技動体から除去したゴミや汚れが清掃手段に付着したり、小遊技動体によって清掃手段が削り取られたりするなどして、清掃手段が汚損された場合には、新しい清掃手段に容易に交換することが可能であり、第１〜第３の局面の作用・効果を維持することができる。
尚、清掃手段は、小遊技動体の表面に付着したゴミや汚れを確実に除去可能であれば、小遊技動体の表面を研磨する必要はなく、小遊技動体の表面を拭い取ればよい。
【００３０】
＜本発明の第６の局面＞
第６の局面は、第１〜第５の局面において、
通過路が遊技機に対して俯角を成すように、通過路の取付角度を設定する角度設定手段を備えた小遊技動体供給装置である。
第６の局面によれば、通過路の俯角を調整することにより、通過路を通過する小遊技動体の通過速度を適宜設定することが可能になり、小遊技動体の通過速度を最適化することにより、第１〜第３の局面の作用・効果が確実に得られる。
【００３１】
そして、第６の局面によれば、小遊技動体の自由落下を利用して通過路に小遊技動体を転動させるため、通過路に小遊技動体を転動させるのに特別な駆動手段を設ける必要がないことから、小遊技動体供給装置の構造が単純になり製造コストを低減できる。
また、第６の局面に係る小遊技動体供給装置は、駆動手段の動力も必要ないため、その動力に係る運用コストが不要となる。
【００３２】
＜本発明の第７の局面＞
第７の局面は、第６の局面において、
角度設定手段は、
通過路に小遊技動体を送り込む第１コイルホースと、
通過路から小遊技動体を送り出す第２コイルホースとを備え、
第１コイルホースおよび第２コイルホースは、線材が螺旋コイル状に巻回されて形成されている小遊技動体供給装置である。
【００３３】
第７の局面によれば、各コイルホースが接続される部材（例えば、分配樋、遊技機の接続装置など）の位置に合わせて各コイルホースの長さを適宜設定することにより、通過路が所定の俯角を成すように小遊技動体供給装置を斜め位置に配置できる。
【００３４】
＜本発明の第８の局面＞
第８の局面は、第７の局面において、
第１コイルホースの内部にて小遊技動体を係止する係止手段を備え、
係止手段は、第１コイルホースを形成する線材の間に割り込み、第１コイルホースの内部に突出することにより、小遊技動体に当接して係止する係止突起を備えた小遊技動体供給装置である。
【００３５】
第８の局面によれば、清掃手段や転動手段を交換する際には、係止突起により第１コイルホースの内部にて小遊技動体を係止しておけば、清掃手段および転動手段に小遊技動体が送り込まれることが無く、清掃手段や転動手段の交換を容易に行うことができる。
【００３６】
＜本発明の第９の局面＞
第９の局面は、第７の局面または第８の局面において、
第１コイルホースを通過路に対して着脱自在に取付固定する第２取付手段を備え、
第２取付手段は、第１コイルホースを形成する線材の間に割り込み、線材の間に挟み込まれて脱落不能に係合する係合突起を備えた小遊技動体供給装置である。
【００３７】
第９の局面によれば、係合突起を第１コイルホースの線材の間に係合させることにより、第１コイルホースを通過路に対して確実に取付固定できる。
また、第９の局面によれば、係合突起と第１コイルホースの線材との係合状態を解除させることにより、第１コイルホースを通過路から容易に取り外すことができる。
【００３８】
＜本発明の第１０の局面＞
第１０の局面は、第９の局面において、
清掃手段および転動手段を備えた通過路を、第２取付手段に対して着脱自在に取付固定する第３取付手段を備えた小遊技動体供給装置である。
第１０の局面によれば、清掃手段や転動手段を交換する際には、通過路を第２取付手段から取り外すことにより、清掃手段や転動手段の交換を容易に行うことができる。
【図面の簡単な説明】
【００３９】
【図１】本発明を具体化した各実施形態のパチンコ玉供給装置３０が備えられているパチンコ島１０の概略構成図。
【図２】パチンコ玉供給装置３０の斜視図（本体部３３にコイルホース３１，３２を取り付けた状態）。
【図３】パチンコ玉供給装置３０の斜視図（本体部３３からコイルホース３１，３２を取り外した状態）。
【図４】本体部３３からコイルホース３１，３２を取り外した状態における本体部３３の上流側の一部斜視図。
【図５】第１実施形態におけるパチンコ玉供給装置３０の本体部３３の研磨部４０の分解斜視図。
【図６】第１実施形態における研磨部４０の玉通過部４１の上面図。
【図７】第１実施形態における玉通過部４１の取付部４４の斜視図。
【図８】玉通過部４１の転動部４６の要部拡大斜視図。
【図９】パチンコ玉供給装置３０の本体部３３のジョイント部５０の斜視図。
【図１０】第１実施形態のジョイント部５０の縦断面図。
【図１１】第１実施形態のジョイント部５０に対して、研磨部４０の玉通過部４１の取付部４４が取り付けられると共に、コイルホース３１が取り付けられた状態を示す縦断面図。
【図１２】パチンコ玉供給装置３０の本体部３３のスリーブストッパ部６０の斜視図。
【図１３】パチンコ玉供給装置３０の本体部３３のホースストッパ部７０の斜視図。
【図１４】図１４（Ａ）は、ホースストッパ部７０にコイルホース３１を挿通した状態を示す斜視図。図１４（Ｂ）は、図１４（Ａ）に示す係合突起７５に対応する箇所の断面図（Ｘ−Ｘ線断面図）。
【図１５】パチンコ玉供給装置３０の本体部３３のロックストッパ部８０の斜視図。
【図１６】図１６（Ａ）は、ロックストッパ部８０にコイルホース３１を挿通した状態を示す斜視図。図１６（Ｂ）は、図１６（Ａ）に示す係止突起８７に対応する箇所の断面図（Ｘ−Ｘ線断面図）。
【図１７】第２実施形態における玉通過部４１の取付部４４の斜視図。
【図１８】第２実施形態のジョイント部５０に対して、研磨部４０の玉通過部４１の取付部４４が取り付けられると共に、コイルホース３１が取り付けられた状態を示す縦断面図。
【図１９】第２実施形態のジョイント部５０を下流側から見た側面図。
【図２０】他の実施形態の研磨部の半割部１４０の斜視図。
【図２１】（Ａ）は同じく半割部の側面図、（Ｂ）は平面図。
【図２２】図２１における右端部の部分拡大図。
【図２３】図２１におけるXXIII-XXIII指示線断面図。
【図２４】図２１におけるXXIV-XXIV指示線断面図。
【図２５】他の実施形態の研磨部２００の半割部２４０の斜視図。
【図２６】同じく半割部２４０平面図。
【図２７】同じく半割部２４０の裏面図。
【図２８】同じく研磨部２００の使用態様斜視図。
【発明を実施するための形態】
【００４０】
＜第１実施形態＞
以下、本発明を具体化した第１実施形態のパチンコ玉供給装置（小遊技動体供給装置）３０について図面を参照しながら説明する。
【００４１】
＜パチンコ島１０の構成＞
図１は、パチンコ玉供給装置３０が備えられているパチンコ島１０の概略構成図であり、パチンコ島１０を裏側（遊技者とは反対側）から見た状態を示す。
パチンコ島１０には、一列に並べられた多数台（図示例では２台）のパチンコ台１１が設置されている。
また、パチンコ島１０には、玉回収樋（玉回収路）１２、玉供給樋（玉供給路）１３、パチンコ玉Ｐの揚送装置１４がそれぞれ１台ずつ設置されている。
【００４２】
パチンコ島１０において、玉回収樋１２は各パチンコ台１１の下方に配置され、玉供給樋１３は各パチンコ台１１の上方に配置され、玉回収樋１２および玉供給樋１３の片端部は揚送装置１４に接続されている。
パチンコ台１１と玉回収樋１２は、排出路１５によって接続されている。
玉供給樋１３には、各パチンコ台１１毎に分配樋（分流樋）１６が設置されている。
パチンコ台１１の遊技盤面１１ａの裏側には玉補給装置（賞玉制御装置）１９が備えられており、玉補給装置１９には接続装置１７が接続固定されている。
【００４３】
パチンコ玉供給装置３０は、各コイルホース３１，３２および本体部３３を備え、本体部３３が所定の俯角を成すように斜め位置に配置されている。
第１コイルホース３１の上端部は分配樋１６に接続され、コイルホース３１の下端部は本体部３３の上端部に接続されている。
第２コイルホース３２の上端部は本体部３３の下端部に接続され、コイルホース３１の下端部は接続装置１７に接続されている。
【００４４】
尚、以下の説明では、本体部３３において、コイルホース３１が取り付けられている側を「上流側」と呼び、コイルホース３２が取り付けられている側を「下流側」と呼ぶ。
また、本体部３３は全体として略円筒形の長尺物であり、その円筒形の長手方向を「軸方向」と呼び、その軸方向に沿った断面を「縦断面」と呼び、軸方向に垂直な断面を「横断面」と呼ぶ。
【００４５】
パチンコ島１０の上部には、幕板１８が開閉可能に設置されている。
幕板１８を閉めた状態では、パチンコ台１１の上方に設置されている各部材（玉供給樋１３、分配樋１６、接続装置１７、パチンコ玉供給装置３０）は幕板１８によって隠されて遊技者側からは目視不能になっている。
そして、幕板１８を開けた状態では、前記各部材（玉供給樋１３、分配樋１６、接続装置１７、パチンコ玉供給装置３０）が遊技者側（パチンコ台１１の遊技盤面１１ａ側）に露出するため、前記各部材を容易に視認できる。
【００４６】
従って、幕板１８を開ければ、遊技者側からパチンコ玉供給装置３０のメンテナンス（例えば、状態確認や部品交換など）を容易に行うことができる。
尚、玉供給樋１３、分配樋１６、接続装置１７は、既存のパチンコ島１０にも設けられているため、第１実施形態のパチンコ玉供給装置３０は既存のパチンコ島１０に対して容易に設置することができる。
【００４７】
パチンコ玉Ｐ（図示略）はパチンコ島１０の内部で循環されている。
すなわち、パチンコ台１１の遊技盤面１１ａを転動し終えたパチンコ玉Ｐ（アウト玉）は、排出路１５を通って当該パチンコ台の外部へ排出され、玉回収樋１２を通って揚送装置１４に集められ、その集められたパチンコ玉Ｐは揚送装置１４によって玉供給樋１３まで引き上げられ、その引き上げられたパチンコ玉Ｐは玉供給樋１３を通って各分配樋１６で分配され、その分配されたパチンコ玉Ｐはパチンコ玉供給装置３０を通って接続装置１７からパチンコ台１１の玉補給装置１９へ供給される。
【００４８】
＜パチンコ玉供給装置３０の構成］
図２および図３は、パチンコ玉供給装置３０の斜視図である。
図２は、パチンコ玉供給装置３０の本体部３３にコイルホース３１，３２を取り付けた状態を示す。
図３は、本体部３３からコイルホース３１，３２を取り外した状態を示す。
図４は、本体部３３からコイルホース３１，３２を取り外した状態における本体部３３の上流側の一部斜視図である。
【００４９】
パチンコ玉供給装置３０の本体部３３は、研磨部４０、ジョイント部５０、スリーブストッパ部６０、ホースストッパ部７０、ロックストッパ部８０、支持軸９０から構成されている。
【００５０】
各コイルホース３１，３２は、長さ以外は同一構成であり、丸線材Ｗが螺旋コイル状に巻回されて形成された可撓性を有するホース（パイプ）である。
コイルホース３１，３２の内径寸法は、パチンコ玉Ｐの寸法よりも一回り大きく形成されている。また、コイルホース３１，３２を形成する丸線材Ｗの直径は、パチンコ玉Ｐの直径に対して十分に小さく形成されている。そのため、コイルホース３１，３２の内部をパチンコ玉Ｐが容易に通過可能になっている（図１６参照）。
そして、コイルホース３１から本体部３３にパチンコ玉Ｐが送り込まれ、本体部３３からコイルホース３２にパチンコ玉Ｐが送り出される。
【００５１】
尚、コイルホース３１，３２を形成する丸線材Ｗは、合成樹脂材料または金属材料によって形成されている。
また、本体部３３を構成する各部５０，６０，７０，８０はそれぞれ、合成樹脂材料の射出成形または金属材料のダイカストにより一体形成されている。
そして、コイルホース３１，３２を形成する丸線材Ｗおよび本体部３３を構成する各部５０，６０，７０，８０は、以下の要求を満たす材質によって形成されている。
【００５２】
（ア）可撓性を有すること。
（イ）内部をパチンコ玉Ｐが転動する際に、過大に揺動したり破損や変形が発生しないこと。
（ウ）内部をパチンコ玉Ｐが転動する際に、本体部３３の俯角がほとんど変化しないこと。
（エ）内部を転動するパチンコ玉Ｐとの接触により、それ自体が摩耗して粉塵が発生しないことに加え、パチンコ玉Ｐが摩耗して粉塵（鉄粉）が発生しないこと。
【００５３】
ここで、金属材料は、鋼球であるパチンコ玉Ｐとの金属摩擦が起こるため、前記（エ）の要求を満足させることが難しい。それに対して、合成樹脂材料（例えば、ウレタン樹脂など）は、パチンコ玉Ｐとの金属摩擦を起こさないため、前記（エ）の要求を満足させ易いという特徴がある。
【００５４】
［研磨部４０の構成］
図５は、研磨部４０の分解斜視図である。
図６は、研磨部４０の玉通過部４１の上面図である。
図７は、玉通過部４１の取付部４４の斜視図である。
図８は、玉通過部４１の転動部４６の要部拡大斜視図である。
【００５５】
研磨部４０は、玉通過部４１、研磨材部４２、蓋部４３から構成されている。
玉通過部４１は、取付部４４，４５、転動部４６から構成されており、各部４４，４５，４６は合成樹脂材料（例えば、ウレタン樹脂など）の射出成形または金属材料のダイカストにより一体形成されており、前記（ア）〜（エ）の要求を満たす材質が用いられている。
【００５６】
各取付部４４，４５はそれぞれ、内部に玉通過路４４ａ，４５ａが貫通形成された略円筒状を成し、取付部４４は転動部４６の上流側に設けられ、取付部４５は転動部４６の下流側に設けられている。
【００５７】
取付部４５における円筒外周面を４分割した位置にはそれぞれ、略直角三角柱状の４個の係合突起４５ｂが突設されている。
取付部４５の外径寸法は、コイルホース３２の内径寸法よりも僅かに大きく形成されている。
そして、係合突起４５ｂの略直角三角柱状の斜面部分は、取付部４５の下流側の方向に俯角を成している。
【００５８】
そのため、図２に示すように、コイルホース３２の上端部を取付部４５に挿入すると、コイルホース３２の内壁面側が取付部４５の外周面に対してガタ付くこと無く接触すると共に、コイルホース３１を形成する丸線材Ｗの間に、取付部４５の各係合突起４５ｂがスムーズに割り込み、可撓性を有する丸線材Ｗの間に各係合突起４５ｂが挟み込まれて脱落不能に係合する。
これにより、本体部３３の研磨部４０の取付部４５に対して、コイルホース３２を着脱自在に取付固定することができる。
【００５９】
図５および図７に示すように、取付部４４には、円筒外周面の対称位置に固定部材４４ｂ，４４ｃが形成されている。
各固定部材４４ｂ，４４ｃは同一寸法形状を成し、舌状片４４ｄおよび係合突起４４ｅから構成されている。
舌状片４４ｄは、取付部４４の上流側の端部から軸方向に沿って切り込まれた平行な２本のスリットの間に形成されており、取付部４４に接続されている部分を固定端部とした片持ち梁状を成している。
係合突起４４ｅは略直角三角柱状を成し、舌状片４４ｄの長手方向の略中間部にて取付部４４の円筒外周面に突設されている。
そして、係合突起４４ｅの略直角三角柱状の斜面部分は、取付部４４の上流側の方向に俯角を成している。
【００６０】
図５および図６に示すように、転動部４６は上部が開放された横断面略Ｕ字形の樋状を成し、転動部４６の下方両側には排出孔４６ａ，４６ｂが設けられ、転動部４６の底面側には両側の中央部にて軸方向に沿った位置に排出孔４６ｃが設けられている。
排出孔４６ａ〜４６ｃはそれぞれ、細長矩形状の複数個（図示例では４個）の孔から構成されており、一列に並べられた孔の間には補強桟４６ｄが設けられている。
排出孔４６ａ〜４６ｃは補強桟４６ｄによって補強されているため、転動部４６の内部をパチンコ玉Ｐが通過する際に、転動部４６に破損や変形が発生することはない。
【００６１】
図６および図８に示すように、転動部４６の底面側には、排出孔４６ｃの両側に転動面４６ｅ，４６ｆが設けられている。
転動面４６ｅは、軸方向（パチンコ玉Ｐの進行方向）に沿って一列に並べられた複数個（図示例では２６個）の傾斜面４６ｇ，４６ｈから構成されている。
各傾斜面４６ｇ，４６ｈの個数は同一である（図示例ではそれぞれ１３個）。
各傾斜面４６ｇ，４６ｈは略同一寸法の矩形状を成しており、各傾斜面４６ｇ，４６ｈは交互に配置されている。
【００６２】
傾斜面４６ｇは、パチンコ玉Ｐの進行方向（矢印α方向）と同一方向に所定の俯角を成して傾斜している。
傾斜面４６ｈは、パチンコ玉Ｐの進行方向に対して反対方向に傾斜面４６ｇと同一の俯角を成して傾斜している。
そのため、交互に配置された各傾斜面４６ｇ，４６ｈにより、パチンコ玉Ｐの進行方向に連続する複数個（図示例では１３個）の山形が形成されている。
【００６３】
転動面４６ｆは、軸方向に沿って一列に並べられた複数個（図示例では２０個）の傾斜面４６ｉ，４６ｊと、複数個（図示例では３個）の平坦面４６ｋとから構成されている。
各傾斜面４６ｉ，４６ｊの個数は同一である（図示例ではそれぞれ１０個）。
各傾斜面４６ｉ，４６ｊはそれぞれ、転動面４６ｅの各傾斜面４６ｇ，４６ｈと同一寸法形状で且つ同一俯角を成しており、軸方向の片側にて各傾斜面４６ｇ，４６ｈと対称な位置に配列されている。
平坦面４６ｋは略同一寸法の矩形状を成しており、所定個数ずつ配列された各傾斜面４６ｉ，４６ｊの間に配置されている。
そのため、交互に配置された各傾斜面４６ｉ，４６ｊにより、パチンコ玉Ｐの進行方向に連続する複数個の山形が形成され、その連続する山形の間に平坦面４６ｋが配置されている。
【００６４】
図２〜図５に示すように、玉通過部４１の転動部４６の上部には蓋部４３が取り付けられ、転動部４６の開放された上部は蓋部４３によって隙間無く覆われる。
尚、転動部４６と蓋部４３の接続箇所には、それぞれ係合凹部と係合突起（図示略）が設けられており、転動部４６に蓋部４３を被着させて係合凹部と係合突起を係合させることにより、玉通過部４１に対して蓋部４３を着脱自在に取付固定することができる。
【００６５】
蓋部４３は円筒を軸方向に沿って切り取った短冊状を成し、その横断面は円弧状を成し、合成樹脂材料（例えば、ウレタン樹脂など）または金属材料により一体形成されており、前記（ア）〜（エ）の要求を満たす材質が用いられている。
蓋部４３の内壁面側には、面ファスナーのフック面４３ａが接着固定されている。
【００６６】
図５に示すように、汚れ除去手段としての研磨材部４２は、蓋部４３の寸法形状に合わせた短冊状を成し、例えば、汚れ吸着能のあるマイクロファイバー等から成る織布または不織布によって形成されている。研磨部材４２はパチンコ玉の転動を何ら阻害することなくパチンコ玉に接触してこれから汚れを除去できればよく、先に例示の布の他、汚れ吸着能のある繊維からなる綿若しくは紙等を用いることができる。さらには、汚れ吸着能はなくてもパチンコ玉から汚れを分離する機能を持つ、ブラシ、刷毛その他の繊維を用いることができる。
異なる種類の研磨部材４２を併用することも可能である。例えば、上流側において研磨作用の強い材料（例えばブラシ）を用い、下流側において吸着作用の強い材料（例えばマイクロファイバーを用いた不織布）とする。
研磨材部４２の上面側には、面ファスナーのループ面４２ａが接着固定されている。
そのため、蓋部４３の内壁面側（下面側）に研磨材部４２の上面側を押し付けると、面ファスナーのフック面４３ａとループ面４２ａが貼り付けられ、蓋部４３に対して研磨材部４２を着脱自在に取付固定することができる。
【００６７】
蓋部４３の内側に研磨材部４２が取付固定されると、研磨材部４２が蓋部４３の円弧状の横断面に沿って変形するため、研磨材部４２の下面側も円弧状の横断面になる。
これにより、玉通過部４１の転動部４６の上部は、円弧状の横断面に形成された研磨材部４２によって覆われることになる。
そして、玉通過部４１と研磨材部４２に囲まれた略円筒状の空間から、研磨部４０の内部をパチンコ玉Ｐが通過する玉通過路４７が形成されている。
そのため、玉通過路４７の底面側に転動面４６ｅ，４６ｆが形成されていることになり、取付部４４，４５の玉通過路４４ａ，４５ａと玉通過路４７は連通している。
【００６８】
［ジョイント部５０の構成］
図９は、ジョイント部５０の斜視図である。
図１０は、ジョイント部５０の縦断面図である。
ジョイント部５０は、取付部５１およびストッパ収容部５２から構成されている。
取付部５１は略円筒状を成し、取付部５１の上流側部分５１ａおよび下流側部分５１ｂの内部は円筒状を成し、取付部５１の中央部上流寄りの部分５１ｃは下流側に向けて狭まるテーパ筒状を成している。
取付部５１の下流側部分５１ｂの内径寸法は、研磨部４０の玉通過部４１の取付部４４の外径寸法よりも僅かに大きく形成されている。
【００６９】
取付部５１の下流側部分５１ｂには、円筒外周面の対称位置に固定部材５３ａ，５３ｂが形成されている。
各固定部材５３ａ，５３ｂは同一寸法形状を成し、舌状片５４ａ、押圧突起５４ｂ、係合凹部５４ｃから構成されている。
舌状片５４ａは、取付部５１の円筒外周面に切り込まれたコ字状のスリットの間に形成されており、取付部５１に接続されている部分を固定端部とした片持ち梁状を成している。
舌状片５４ａの長手方向は軸方向に沿うように配置されており、舌状片５４ａの自由端部は取付部５１の下流側に配置されている。
【００７０】
押圧突起５４ｂは円柱状を成し、舌状片５４ａの自由端部にて取付部５１の円筒外周面に突設されている。
係合凹部５４ｃは、研磨部４０の玉通過部４１の取付部４４の係合突起４４ｅ（図５〜図７参照）に合わせた寸法の略直角三角柱状を成し、舌状片５４ａの長手方向の略中間部にて取付部５１の円筒内壁面に穿設されている。
そして、係合凹部５４ｃの略直角三角柱状の斜面部分は、取付部５１の上流側の方向に俯角を成している。
【００７１】
ストッパ収容部５２は、接続部５５、リング部５６、軸受部５７，５８から構成されている。
接続部５５は円筒を軸方向に沿って切り取った短冊状を成し、接続部５５の内壁面は取付部５１の上流側部分５１ａの内壁面に段差無く連続するように接続されている。
リング部５６は略円筒状を成し、リング部５６の上流側部分５６ａは上流側に向けて広がるテーパ筒状を成し、リング部５６の下流側部分５６ｂは円筒状を成し、下流側部分５６ｂの内壁面は接続部５５の内壁面に段差無く連続するように接続されている。
【００７２】
軸受部５７は取付部５１の上流側部分５１ａの円筒外周面に突設されており、軸受部５７の軸方向には軸孔５７ａが貫通形成されている。
軸受部５８はリング部５６の円筒外周面に突設されており、軸受部５８の軸方向には軸孔５８ａが貫通形成されている。
【００７３】
図１１は、ジョイント部５０に対して、研磨部４０の玉通過部４１の取付部４４が取り付けられると共に、コイルホース３１が取り付けられた状態を示す縦断面図である。尚、図１１では、コイルホース３１を一点鎖線で図示してある。
コイルホース３１を転動してくるパチンコ玉Ｐは、ジョイント部５０の取付部５１の部分５１ｃ→取付部４４の玉通過路４４ａ→玉通過路４７→取付部４５の玉通過路４５ａ→コイルホース３２の経路で転動する。
【００７４】
コイルホース３１は、ジョイント部５０の上流側からストッパ収容部５２のリング部５６に挿入され、取付部５１の上流側部分５１ａの内部まで挿通されて、テーパ筒状を成している取付部５１の部分５１ｃの上流側端部にて係止されている。
研磨部４０の玉通過部４１の取付部４４は、ジョイント部５０の下流側から取付部５１に挿入され、取付部５１の下流側部分５１ｂの内部まで挿通されて、取付部５１の部分５１ｃの下流側端部にて係止されている。
【００７５】
ここで、取付部４４の外径寸法は、取付部５１の下流側部分５１ｂの内径寸法よりも僅かに小さく形成されている。
そして、取付部４４の各固定部材４４ｂ，４４ｃは舌状片４４ｄを備え、取付部４４（研磨部４０）は可撓性を有する材質から成る。
また、取付部４４の各固定部材４４ｂ，４４ｃの係合突起４４ｅの略直角三角柱状の斜面部分は、取付部４４の上流側の方向に俯角を成している。
【００７６】
そのため、取付部４４を取付部５１に取り付ける際には、取付部４４の外周面が取付部５１の内壁面に対してガタ付くこと無く接触すると共に、取付部４４の係合突起４４ｅが取付部５１の内壁面に押圧され、取付部４４の舌状片４４ｄが内側方向（矢印β方向）に撓むため、取付部５１に対して取付部４４をスムーズに挿入できる。
そして、取付部４４の係合突起４４ｅが、取付部５１の各固定部材５３ａ，５３ｂの係合凹部５４ｃの位置まで挿入されると、取付部４４の舌状片４４ｄの撓みが解放されて元の位置に戻るため、係合突起４４ｅが係合凹部５４ｃに係合する。
その結果、ジョイント部５０の取付部５１に対して、研磨部４０の取付部４４を取付固定することができる。
【００７７】
また、取付部５１から取付部４４を取り外す際には、取付部５１の各固定部材５３ａ，５３ｂの押圧突起５４ｂを指で摘んで内側方向（矢印β方向）に押圧すると、各固定部材５３ａ，５３ｂの舌状片５４ａが内側方向に撓み、取付部４４の係合突起４４ｅが取付部５１の係合凹部５４ｃに押圧されて取付部４４の舌状片４４ｄも内側方向に撓むため、係合突起４４ｅと係合凹部５４ｃの係合状態が解除される。
そのため、取付部５１の押圧突起５４ｂを押圧して、係合突起４４ｅと係合凹部５４ｃの係合状態が解除されたまま、取付部５１から取付部４４を引き抜くことにより、ジョイント部５０から研磨部４０を取り外すことができる。
【００７８】
［スリーブストッパ部６０の構成］
図１２は、スリーブストッパ部６０の斜視図である。
スリーブストッパ部６０は、リング部６１，６２、接続部６３、軸受部６４，６５から構成されている。
【００７９】
リング部６１は略円筒状を成し、リング部６１の上流側部分６１ａは円筒状を成し、リング部６１の下流側部分６１ｂは下流側に向けて広がるテーパ筒状を成している。
接続部６３は円筒を軸方向に沿って切り取った短冊状を成し、接続部６３の内壁面はリング部６１の上流側部分６１ａの内壁面に段差無く連続するように接続されている。
リング部６２は略円筒状を成しており、リング部６２の内壁面は接続部６３の内壁面に段差無く連続するように接続されている。
【００８０】
軸受部６４はリング部６１の円筒外周面に突設されており、軸受部６４の軸方向には軸孔６４ａが貫通形成されている。
軸受部６５はリング部６２の円筒外周面に突設されており、軸受部６５の軸方向には軸孔６５ａが貫通形成されている。
【００８１】
そして、図２〜図４に示すように、スリーブストッパ部６０をジョイント部５０に取り付けた状態では、スリーブストッパ部６０のリング部６１の下流側部分６１ｂとジョイント部５０のリング部５６の上流側部分５６ａとが密接すると共に、スリーブストッパ部６０の各軸受部６４，６５およびジョイント部５０の各軸受部５７，５８に対して、丸棒状の支持軸９０が挿通されている。
【００８２】
ここで、スリーブストッパ部６０におけるリング部６１の上流側部分６１ａおよびリング部６２の内径寸法と、ジョイント部５０における取付部５１の上流側部分５１ａおよびリング部５６の下流側部分５６ｂの内径寸法は、それぞれ同一に設定され、その内径寸法はコイルホース３１の外径寸法よりも僅かに大きく形成されている。
【００８３】
そのため、スリーブストッパ部６０およびジョイント部５０に対してコイルホース３１が取り付けられた状態では、スリーブストッパ部６０におけるリング部６１の上流側部分６１ａおよびリング部６２と、ジョイント部５０における取付部５１の上流側部分５１ａおよびリング部５６の下流側部分５６ｂとに挿通されたコイルホース３１の外周面側に対して、各部分６１ａ，６２，５１ａ，５６ｂの内壁面がガタ付くこと無く接触し、各部６０，５０に対してコイルホース３１が確実に保持される。
【００８４】
そして、前記各部分６１ａ，６２，５１ａ，５６ｂに挿通されたコイルホース３１と、前記各軸受部６４，６５，５７，５８に挿通された支持軸９０とにより、ジョイント部５０に対してスリーブストッパ部６０を位置ズレ無く確実に取付固定することができる。
【００８５】
［ホースストッパ部７０の構成］
図１３は、ホースストッパ部７０の斜視図である。
ホースストッパ部７０は、略円筒の周壁の一部を軸方向に沿って切り欠いた形状を成し、変形許容部７１、指掛部７２、軸挿通部７３、係合突起７４，７５を備えている。
【００８６】
変形許容部７１は横断面コ字状を成し、ホースストッパ部７０の上部にて軸方向に沿って設けられている。
指掛部７２は、ホースストッパ部７０の軸方向に沿って切り欠かれた端部が外側に延出されることによって形成されている。
軸挿通部７３は、ホースストッパ部７０における指掛部７２とは反対側の端部が外方に巻回されることによって形成され、その巻回された部分により軸孔７３ａが貫通形成されている。
【００８７】
４個の係合突起７５は矩形板状を成し、ホースストッパ部７０の略円筒外周を４分割した位置にそれぞれ、ホースストッパ部７０の下流側端部から内側（略円筒の中心側）に向けて突設されている。
４個の係合突起７４（図示せず）は、係合突起７５と同一寸法形状を成し、ホースストッパ部７０の略円筒外周を４分割した位置にそれぞれ、ホースストッパ部７０の上流側端部から内側に向けて突設されている。
【００８８】
そして、図２〜図４に示すように、ホースストッパ部７０をジョイント部５０のストッパ収容部５２に取り付けた状態では、ホースストッパ部７０の軸孔７３ａおよびジョイント部５０の各軸受部５７，５８の軸孔５７ａ，５８ａに対して、支持軸９０が挿通されている。
ここで、ホースストッパ部７０の軸孔７３ａの内径寸法は、支持軸９０の外径寸法よりも僅かに大きく形成されている。
そのため、ホースストッパ部７０は、支持軸９０を回動軸とし、ジョイント部５０に対して回動させることができる。
【００８９】
図１４（Ａ）は、ホースストッパ部７０にコイルホース３１を挿通した状態を示す斜視図である。
図１４（Ｂ）は、図１４（Ａ）に示す係合突起７５に対応する箇所の断面図（Ｘ−Ｘ線断面図）である。
ホースストッパ部７０の内径寸法は、コイルホース３１の外径寸法よりも僅かに大きく形成されている。
【００９０】
コイルホース３１をパチンコ玉供給装置３０に取り付ける際には、図１１に示すように、コイルホース３１をジョイント部５０の上流側からストッパ収容部５２に挿入した状態で、ホースストッパ部７０の指掛部７２を摘んで、図２に示すように、ホースストッパ部７０をジョイント部５０の側へ回動させると、図１４に示すように、ホースストッパ部７０の内壁面がコイルホース３１の外周面側に対してガタ付くこと無く接触すると共に、コイルホース３１を形成する丸線材Ｗの間に、ホースストッパ部７０の各係合突起７４，７５が割り込み、可撓性を有する丸線材Ｗの間に各係合突起７４，７５が挟み込まれて脱落不能に係合する。
その結果、コイルホース３１に対してホースストッパ部７０を取付固定することができる。
【００９１】
このとき、ホースストッパ部７０の上流側と下流側にそれぞれ係合突起７４，７５が設けられているため、ホースストッパ部７０の上流側と下流側の両端部をコイルホース３１に対して取付固定することが可能であり、コイルホース３１を確実に固定できる。
【００９２】
コイルホース３１をパチンコ玉供給装置３０から取り外す際には、ホースストッパ部７０の指掛部７２を引き上げながら、ホースストッパ部７０をジョイント部５０の側から回動させると、コイルホース３１を形成する丸線材Ｗの間に係合されている各係合突起７４，７５が引き上げられて係合状態が解除されるため、コイルホース３１をジョイント部５０から引き抜くことが可能になる。
【００９３】
このとき、ホースストッパ部７０には変形許容部７１が設けられているため、ホースストッパ部７０の指掛部７２を引き上げると、横断面コ字状の変形許容部７１の両側壁部がハ字形に変形して変形許容部７１の幅が広がり、指掛部７２に近い側に設けられている各係合突起７４，７５から順番にコイルホース３１の丸線材Ｗとの係合状態が解除されるため、コイルホース３１からホースストッパ部７０を容易に取り外すことができる。
【００９４】
［ロックストッパ部８０の構成］
図１５は、ロックストッパ部８０の斜視図である。
ロックストッパ部８０は、略円筒の周壁の一部を軸方向に沿って切り欠いた形状を成し、変形許容部８１、指掛部８２、軸挿通部８３、係合突起８４，８５，係止突起８６，８７を備えている。
【００９５】
変形許容部８１は横断面コ字状を成し、ロックストッパ部８０の上部にて軸方向に沿って設けられている。
指掛部８２は、ロックストッパ部８０の軸方向に沿って切り欠かれた端部が外側に延出されることによって形成されている。
軸挿通部８３は、ロックストッパ部８０における指掛部８２とは反対側の端部が外方に巻回されることによって形成され、その巻回された部分により軸孔８３ａが貫通形成されている。
【００９６】
４個の係合突起８５は矩形板状を成し、ロックストッパ部８０の略円筒外周を４分割した位置にそれぞれ、ロックストッパ部８０の下流側端部から内側（略円筒の中心側）に向けて突設されている。
４個の係合突起８４（図示せず）は、係合突起８５と同一寸法形状を成し、ロックストッパ部８０の略円筒外周を４分割した位置にそれぞれ、ロックストッパ部８０の上流側端部から内側に向けて突設されている。
【００９７】
係止突起８７は矩形板状を成し、変形許容部８１の下流側端部から内側に向けて突設されている。
係止突起８６（図示せず）は、係止突起８７と同一寸法形状を成し、変形許容部８１の上流側端部から内側に向けて突設されている。
【００９８】
そして、図２〜図４に示すように、ロックストッパ部８０をスリーブストッパ部６０に取り付けた状態では、ロックストッパ部８０の軸孔８３ａおよびスリーブストッパ部６０の各軸受部６４，６５の軸孔６４ａ，６５ａに対して、支持軸９０が挿通されている。
ここで、ロックストッパ部８０の軸孔８３ａの内径寸法は、支持軸９０の外径寸法よりも僅かに大きく形成されている。
そのため、ロックストッパ部８０は、支持軸９０を回動軸とし、スリーブストッパ部６０に対して回動させることができる。
【００９９】
図１６（Ａ）は、ロックストッパ部８０にコイルホース３１を挿通した状態を示す斜視図である。
図１６（Ｂ）は、図１６（Ａ）に示す係止突起８７に対応する箇所の断面図（Ｘ−Ｘ線断面図）である。
ロックストッパ部８０の内径寸法は、コイルホース３１の外径寸法よりも僅かに大きく形成されている。
【０１００】
コイルホース３１を転動してくるパチンコ玉Ｐをロックストッパ部８０で係止するには、ロックストッパ部８０の指掛部８２を摘んで、図２に示すように、ロックストッパ部８０をスリーブストッパ部６０の側へ回動させると、図１６に示すように、コイルホース３１を形成する丸線材Ｗの間に、ロックストッパ部８０の各係止突起８６，８７が割り込み、丸線材Ｗの間からコイルホース３１の内部に各係止突起８６，８７が突出されるため、パチンコ玉Ｐを係止突起８６または係止突起８７に当接させて係止することができる。
【０１０１】
コイルホース３１を転動してくるパチンコ玉Ｐをロックストッパ部８０で係止させずに通過させるには、ロックストッパ部８０の指掛部８２を引き上げながら、ロックストッパ部８０をスリーブストッパ部６０の側から回動させると、コイルホース３１を形成する丸線材Ｗの間に係合されている各係止突起８６，８７が引き上げられて係合状態が解除され、コイルホース３１の内部に障害物が無くなるため、コイルホース３１にパチンコ玉Ｐを通過させることができる。
【０１０２】
尚、ロックストッパ部８０の変形許容部８１および係合突起８４，８５の機能については、ホースストッパ部７０の変形許容部７１および係合突起７４，７５と同じであるため、説明を省略する。
【０１０３】
＜第１実施形態の作用・効果＞
［１］第１実施形態のパチンコ玉供給装置３０は、パチンコ玉Ｐが転動しながら通過する研磨部４０の玉通過部４１の玉通過路４７と、玉通過路４７を通過するパチンコ玉Ｐの表面の汚れを除去する研磨材部４２と、玉通過路４７を通過するパチンコ玉Ｐを不規則に回転させながら転動させる転動部４６とを備える。
【０１０４】
従って、パチンコ玉供給装置３０によれば、転動部４６によりパチンコ玉Ｐを不規則に回転させながら、研磨材部４２によりパチンコ玉Ｐの表面の汚れを除去するため、パチンコ玉Ｐの表面にゴミや汚れが付着していても、パチンコ玉Ｐの全面から汚れを確実に除去してパチンコ台１１へ供給することができる。
【０１０５】
［２］転動部４６は、玉通過路４７の底面側に形成された転動面４６ｅ，４６ｆを備え、転動面４６ｅ，４６ｆは、パチンコ玉Ｐの進行方向（矢印α方向）に沿って連続する複数個の山形を備えている。
従って、転動面４６ｅ，４６ｆの上を転動するパチンコ玉Ｐは、パチンコ玉Ｐの進行方向に沿って連続する複数個の山形によって不規則に弾かれながら転動するため、パチンコ玉Ｐを不規則に回転させながら転動させることが可能になり、前記［１］の作用・効果を確実に得られる。
【０１０６】
［３］転動面４６ｅは、パチンコ玉Ｐの進行方向（矢印α方向）に沿って一列に並べられた複数個の傾斜面４６ｇ，４６ｈを備える。傾斜面４６ｇはパチンコ玉Ｐの進行方向と同一方向に俯角を成して傾斜し、傾斜面４６ｈはパチンコ玉Ｐの進行方向に対して反対方向に俯角を成して傾斜し、各傾斜面４６ｇ，４６ｈは交互に配置されて連続する複数個の山形が形成される。
【０１０７】
転動面４６ｆは、パチンコ玉Ｐの進行方向（矢印α方向）に沿って一列に並べられた複数個の傾斜面４６ｉ，４６ｊと、平坦面４６ｋとを備える。傾斜面４６ｉ，４６ｊはそれぞれ、傾斜面４６ｇ，４６ｈと同一寸法形状で且つ同一俯角を成しており、パチンコ玉Ｐの進行方向の片側にて傾斜面４６ｇ，４６ｈと対称な位置に配列され、各傾斜面４６ｉ，４６ｊは交互に配置されて連続する複数個の山形が形成され、その連続する山形の間に平坦面４６ｋが配置されている。
【０１０８】
従って、傾斜面４６ｇ，４６ｈ，４６ｉ，４６ｊおよび平坦面４６ｋにより、パチンコ玉Ｐは不規則に弾かれながら転動するため、パチンコ玉Ｐの回転の不規則性を高めることが可能になり、前記［２］の作用・効果を確実に得られる。
【０１０９】
［４］パチンコ玉供給装置３０は、研磨材部４２によって除去されたパチンコ玉Ｐのゴミや汚れを玉通過路４７から排出する排出孔４６ａ〜４６ｃを備える。
従って、玉通過路４７の内部にパチンコ玉Ｐのゴミや汚れが溜まることが無いため、パチンコ玉Ｐから除去されたゴミや汚れが、その後に転動されてくるパチンコ玉Ｐに付着するのを防止できると共に、ゴミや汚れが障害物となってパチンコ玉Ｐの転動が阻害されるのを防止できる。
【０１１０】
そして、各排出孔４６ａ，４６ｂはそれぞれ転動部４６の下方両側に設けられ、排出孔４６ｃは転動部４６の底面側にて転動面４６ｅ，４６ｆの間に設けられているため、玉通過路４７の内部にゴミや汚れが溜まる箇所が無くなり、ゴミや汚れを効率的に排出できる。
【０１１１】
［５］汚れ除去手段としての研磨材部４２は、例えば、汚れ吸着能のあるマイクロファイバー等から成る織布または不織布によって形成されており、パチンコ玉Ｐの表面を拭い取って汚れを除去する。
また、研磨材部４２に接着固定された面ファスナーのループ面４２ａと、蓋部４３に接着固定された面ファスナーのフック面４３ａとを貼り付けることにより、研磨材部４２を蓋部４３の内側に取付固定できる。
そして、転動部４６に蓋部４３を被着させ、玉通過部４１に対して蓋部４３を着脱自在に取付固定できる。
【０１１２】
従って、パチンコ玉Ｐから除去したゴミや汚れが研磨材部４２に付着したり、パチンコ玉Ｐによって研磨材部４２が削り取られたりするなどして、研磨材部４２が汚損された場合には、新しい研磨材部４２に容易に交換することが可能であり、前記［１］〜［３］の作用・効果を維持することができる。
尚、研磨材部４２は、パチンコ玉Ｐの表面に付着したゴミや汚れを確実に除去可能であれば、パチンコ玉Ｐの表面を研磨する必要はなく、パチンコ玉Ｐの表面を拭い取ればよい。
また、研磨材部４２は、パチンコ玉の転動を何ら阻害することなくパチンコ玉に接触してこれから汚れを除去できればよく、先に例示の布の他、汚れ吸着能のある繊維からなる綿もしくは紙や、汚れ吸着能のあるスポンジ材などを用いることができる。さらには、汚れ吸着能はなくてもパチンコ玉から汚れを分離する機能を持つものであれば、例えば、ブラシ、刷毛、その他の繊維、金属ウール材（例えば、スチールウール、銅ウール、黄銅ウールなど）を用いることができる。
【０１１３】
［６］パチンコ玉供給装置３０は分配樋１６と接続装置１７の間に接続され、分配樋１６および接続装置１７の位置に合わせて各コイルホース３１，３２の長さを適宜設定することにより、玉通過路４７が所定の俯角を成すように本体部３３を斜め位置に配置できる。
玉通過路４７の俯角を調整することにより、玉通過路４７を通過するパチンコ玉Ｐの通過速度を適宜設定することが可能になり、パチンコ玉Ｐの通過速度を最適化することにより、前記［１］〜［３］の作用・効果が確実に得られる。
【０１１４】
そして、パチンコ玉供給装置３０は、パチンコ玉Ｐの自由落下を利用して玉通過路４７にパチンコ玉Ｐを転動させるため、玉通過路４７にパチンコ玉Ｐを転動させるのに特別な駆動手段を設ける必要がないことから、パチンコ玉供給装置３０の構造が単純になり製造コストを低減できる。
また、パチンコ玉供給装置３０は、前記駆動手段の動力も必要ないため、その動力に係る運用コストが不要となる。
【０１１５】
［７］パチンコ玉供給装置３０は、コイルホース３１の内部にてパチンコ玉Ｐを係止するスリーブストッパ部６０およびロックストッパ部８０を備える。
ロックストッパ部８０は、コイルホース３１を形成する丸線材Ｗの間に割り込み、コイルホース３１の内部に突出することにより、パチンコ玉Ｐに当接して係止する係止突起８６，８７を備える。
【０１１６】
従って、研磨部４０の玉通過部４１や研磨材部４２を交換する際には、係止突起８６，８７によりコイルホース３１の内部にてパチンコ玉Ｐを係止しておけば、各部４１，４２にパチンコ玉Ｐが送り込まれることが無く、各部４１，４２の交換を容易に行うことができる。
【０１１７】
［８］パチンコ玉供給装置３０は、コイルホース３１を本体部３３（玉通過路４７）に対して着脱自在に取付固定するジョイント部５０およびホースストッパ部７０を備える。
ホースストッパ部７０は、コイルホース３１を形成する丸線材Ｗの間に割り込み、丸線材Ｗの間に挟み込まれて脱落不能に係合する係合突起７４，７５を備える。
【０１１８】
従って、係合突起７４，７５をコイルホース３１の丸線材Ｗの間に係合させることにより、コイルホース３１を本体部３３に対して確実に取付固定できる。
また、係合突起７４，７５と丸線材Ｗの係合状態を解除させることにより、コイルホース３１を本体部３３から容易に取り外すことができる。
【０１１９】
［９］パチンコ玉供給装置３０は、研磨部４０（玉通過路４７）をジョイント部５０に対して着脱自在に取付固定する固定部材４４ｂ，４４ｃ，５３ａ，５３ｂを備える。
従って、研磨部４０の玉通過部４１や研磨材部４２を交換する際には、ジョイント部５０から研磨部４０を取り外すことにより、各部４１，４２の交換を容易に行うことができる。
【０１２０】
＜第２実施形態＞
以下、本発明を具体化した第２実施形態のパチンコ玉供給装置３０について図面を参照しながら説明する。
尚、第２実施形態において、図１〜図１６に示した第１実施形態と同一の構成部材および構成要素については符号を等しくすると共に、同一内容の箇所については重複説明を省略してある。
【０１２１】
図１７は、第２実施形態における玉通過部４１の取付部４４の斜視図である。
第２実施形態の取付部４４において、図７に示した第１実施形態の取付部４４と異なるのは、各固定部材４４ｂ，４４ｃの舌状片４４ｄの構成だけである。
舌状片４４ｄは、取付部４４の円筒外周面に切り込まれたコ字状のスリットの間に形成されており、取付部４４に接続されている部分を固定端部とした片持ち梁状を成している。
舌状片４４ｄの長手方向は軸方向に沿うように配置されており、舌状片４４ｄの自由端部は取付部４４の下流側に配置されている。
【０１２２】
図１８は、第２実施形態のジョイント部５０に対して、研磨部４０の玉通過部４１の取付部４４が取り付けられると共に、コイルホース３１が取り付けられた状態を示す縦断面図である。
図１９は、第２実施形態のジョイント部５０を下流側から見た側面図である。
【０１２３】
第２実施形態のジョイント部５０において、図１１に示した第１実施形態のジョイント部５０と異なるのは、取付部５１の部分５１ｃ、固定部材５３ａ，５３ｂの係合凹部５４ｃのそれぞれの構成と、取付溝部５９ａ，５９ｂが設けられていることだけである。
【０１２４】
テーパ筒状を成している取付部５１の部分５１ｃの下流側端部の内径寸法は、取付部４４の玉通過路４４ａの内径寸法と同一に形成されており、部分５１ｃの内壁面は玉通過路４４ａの内壁面に段差無く連続するように接続されている。
そのため、第２実施形態によれば、第１実施形態に比べて、コイルホース３１から取付部５１の部分５１ｃを転動してくるパチンコ玉Ｐが、取付部４４の玉通過路４４ａの上流側端部に引っ掛かるおそれがなく、パチンコ玉Ｐをスムーズに玉通過路４４ａへ送ることができる。
【０１２５】
固定部材５３ａ，５３ｂの係合凹部５４ｃは、研磨部４０の玉通過部４１の取付部４４の係合突起４４ｅ（図１７参照）に合わせた寸法の略直方体状を成し、固定部材５３ａ，５３ｂの舌状片５４ａの自由端部にて取付部５１の円筒内壁面に穿設されている。
つまり、係合凹部５４ｃは、固定部材５３ａ，５３ｂの押圧突起５４ｂの内側にかかる位置に穿設されている。
【０１２６】
各取付溝部５９ａ，５９ｂはそれぞれ、取付部４４の係合突起４４ｅに合わせた寸法の横断面矩形状を成し、取付部５１の下流側端部から固定部材５３ａ，５３ｂの係合凹部５４ｃに渡って、取付部５１の円筒内壁面に穿設されている。
【０１２７】
そのため、取付部４４を取付部５１に取り付ける際には、取付部４４の係合突起４４ｅを取付部５１の取付溝部５９ａ，５９ｂに係合させた状態で、取付部４４を取付部５１に対して押し込むことにより、係合突起４４ｅが取付溝部５９ａ，５９ｂの底面に押圧され、取付部４４の舌状片４４ｄが内側方向（矢印β方向）に撓みながら、係合突起４４ｅが取付溝部５９ａ，５９ｂの底面に嵌合した状態でスムーズにスライドされ、係合突起４４ｅが各固定部材５３ａ，５３ｂの係合凹部５４ｃに係合される。
その結果、第２実施形態によれば、第１実施形態に比べて、取付部４４を取付部５１に取り付ける際の位置決めを確実にできることに加えて、取付部５１に対して取付部４４を更にスムーズに挿入可能になるため、取付部４４と取付部５１の取付固定が容易になる。
【０１２８】
＜別の実施形態＞
本発明は前記各実施形態に限定されるものではなく、以下のように具体化してもよく、その場合でも、前記各実施形態と同等もしくはそれ以上の作用・効果を得ることができる。
【０１２９】
［１］ジョイント部５０とスリーブストッパ部６０を一体化させてもよい。
【０１３０】
［２］研磨部４０の下流側にも、ジョイント部５０およびホースストッパ部７０と同様の構成の部材を取り付けるようにしてもよい。このようにすれば、研磨部４０からコイルホース３２を容易に着脱することができる。
【０１３１】
［３］転動部４６の玉通過路４７の底面側は、転動面４６ｅ，４６ｆに限らず、パチンコ玉Ｐを不規則に回転させながら転動させることが可能であれば、パチンコ玉Ｐの進行方向に沿って連続する適宜な形状の複数個の山形であればよい。
【０１３２】
［４］傾斜面４６ｈ，４６ｊの俯角はそれぞれ、傾斜面４６ｇ，４６ｉの俯角と同一であることに限らず、パチンコ玉Ｐを不規則に回転させながら転動させることが可能であれば、どのような角度でもよい。
同様に、傾斜面４６ｇ，４６ｉの俯角を異なる角度にしてもよく、傾斜面４６ｈ，４６ｊの俯角を異なる角度にしてもよい。
【０１３３】
［５］蓋部４３の内壁面側に面ファスナーのループ面を接着固定すると共に、研磨材部４２の上面側に面ファスナーのフック面を接着固定してもよい。
【０１３４】
［６］研磨材部４２と蓋部４３を取付固定する取付手段は、面ファスナーに限らず、着脱自在な取付手段であれば、どのような取付手段（例えば、粘着テープなど）を用いてもよい。
【０１３５】
［７］コイルホース３１，３２を自在継手型の管継手（例えば、ボールジョイントなど）に置き換えてもよい。
【０１３６】
［８］パチンコ玉供給装置３０は、パチンコ島１０の内部でパチンコ玉Ｐを循環させるために用いるだけでなく、１台のパチンコ台１１の内部でパチンコ玉Ｐを循環させるのに用いてもよい。
【０１３７】
［９］前記各実施形態を適宜組み合わせて実施してもよく、その場合には組み合わせた実施形態の作用・効果を合わせもたせたり、相乗効果を得ることができる。
【０１３８】
［１０］本発明は、パチンコ台１１にパチンコ玉Ｐを供給するパチンコ玉供給装置３０に限らず、小遊技動体（例えば、遊技球、遊技メダル、ボーリング球など）を遊技盤上に転動させて遊技を行う方式の遊技機（例えば、ピンボール機、ボーリングゲーム機、玉突き機など）に小遊技動体を供給する小遊技動体供給装置であればどのようなものにも適用可能であり、小遊技動体の表面に付着したゴミや汚れを確実に除去できるという優れた効果を奏する。
【０１３９】
本発明は、前記各局面および前記各実施形態の説明に何ら限定されるものではない。特許請求の範囲の記載を逸脱せず、当業者が容易に想到できる範囲で種々の変形態様も本発明に含まれる。本明細書の中で明示した公開特許公報の内容は、その全ての内容を援用によって引用することとする。
【０１４０】
＜各実施形態の部材と手段との対応関係＞
「通過路」は、玉通過路４７に該当する。
「清掃手段」は、研磨材部４２、玉通過部４１、蓋部４３、面ファスナーのループ面４２ａとフック面４３ａから構成される。
「転動手段」は、転動部４６に該当する。
「第１転動面」「第２転動面」はそれぞれ、転動面４６ｅ，４６ｆに該当する。
「第１傾斜面」〜「第４傾斜面」はそれぞれ、傾斜面４６ｇ，４６ｈ，４６ｉ，４６ｊに該当する。
「排出手段」は、排出孔４６ａ〜４６ｃに該当する。
「汚れ除去手段」は、研磨材部４２に該当する。
「第１取付手段」は、玉通過部４１、蓋部４３、面ファスナーのループ面４２ａとフック面４３ａから構成される。
「角度設定手段」は、コイルホース３１，３２に該当する。
「係止手段」は、スリーブストッパ部６０およびロックストッパ部８０から構成される。
「第２取付手段」は、ジョイント部５０およびホースストッパ部７０から構成される。
「第３取付手段」は、研磨部４０の玉通過部４１の取付部４４およびジョイント部５０の取付部５１から構成される。
【０１４１】
＜他の実施形態＞
以下、他の実施形態について説明する。
図２０〜図２４に、他の実施形態の研磨部の半割部１４０を示す。
この半割部１４０は半割筒状の本体部１４１、係合部爪１４３及び係合アーム１４５並びにブレード１５１を備えてなる。この半割部１４０の一対を突き合わせ、それぞれの係合爪１４３に対して係合アーム１４５をスナップ止め的に係合させると、パチンコ玉を挿通可能な筒状の研磨部が形成される。
本体部１４１の内周面には複数の凸条のブレード１５１が平面視において平行にかつ本体部１４１の軸線に対して傾斜して形成されている（図２１参照）。軸線に対する傾斜の角度は特に限定されることはないが、３０〜６０度とすることが好ましい。この凸条ブレード１５１の頂部は、図２４に示す通り、直径１２ｍｍの仮想円周上に位置し、これにより、パチンコ玉（直径１１ｍｍ）は凸条ブレード１５１の頂部に接触しながら研磨部を通過可能となる。ここに、各ブレード１５１は本体部１４１の軸線（パチンコ玉の通過方向）に対して傾斜しているので、大きな抵抗を受けることなく、ブレード１５１の頂部のエッジにより、パチンコ玉に付着した汚れが削り取られる。削り取られた汚れはブレード１５１の間に形成された溝１５３に落ちる。ブレード１５１の側面は図２４に示す通り、割面（図示水平面）に対して直交させることが好ましい。これにより、樹脂による半割部１４１の型成形（射出成形等）が可能となる。割面に対して垂直方向にすることにより型抜きが可能となるからである。なお、ここに直交とは完全な９０度のみを指すものではなく、製造誤差範囲は含まれるものとする。
なお、図５に示す例において、蓋部４３の内周面にこの半割部１４１のブレード１５１を形成してもよい。その場合、研磨部材４２は不要となる。
【０１４２】
図２５〜図２８には更に他の実施形態の研磨部２００を示す。なお、図２０〜２４に開示の要素と同一機能の要素には同一の符号を付してその説明を省略する。
図２５にこの研磨部２００の半割部２４０を示す。この半割部２４０は屈曲した半割筒状の本体部２４１を有する。本体部の一端の内周面には溝２５０が螺刻されており、コイルホース３１０が挿着される（図２８参照）。半割部２４０にはスリット２６０が形成される。このスリット２６０は、研磨部２００の使用時に下方に位置する。これにより、ブレード１５１でパチンコ玉から削り取られて汚れは溝に１５３に落ち、更にスリット２６０を介して外部へ排出される。
このスリットを溝１５３に沿って形成することもできる。
【０１４３】
図２８には半割部２４０の一対を組み合わせてなる研磨部２００を示す。研磨部２４０の一端にコイルホース３１０が挿着され、他端にはコイルホース３２０の大径部３１２が被せられる。
研磨部２００は上下方向の段差を有する。かかる段差により、研磨部２００内におけるパチンコ玉の流通に変化が生じ、研磨部２００内におけるパチンコ玉の滞留を防止できる。また、パチンコ玉の流れに変化を与えることにより、パチンコ玉に対する汚れ除去効果も向上する。
この段差部の角度や落差は特に限定されるものではなく、筒状の研磨部２００内においてパチンコ玉の流れを阻害することなく、これに変化を与えられればよい。また、パチンコ玉の流れに変化を与える見地から、研磨部の内径を当該段差部で大きくすることが好ましい。
更に段差部において、パチンコ玉の流れ方向に対向する面へ上記スリットを形成することができる。この対向面にはパチンコ玉が比較的強く当たるので、そのときに除去された汚れを効率的に排出するためである。
【０１４４】
図２０〜図２８の例では、研磨部を半割として、樹脂製の半割筒状の本体部１４１、２４１を型形成可能としている。
中子を用いて筒状の研磨部を形成してもよい。この場合、研磨部の内周面には螺旋凸条のブレードが形成されている。このブレードの頂部は直径１２ｍｍの仮想円周上に位置し、パチンコ玉を通過可能とする。この例では、中子を用いるので、ブレードの頂部のエッジを鋭角に形成できる。これにより、パチンコ玉からの汚れ除去機能が向上する。
【０１４５】
以下、下記事項を開示する。
（Ａ）  遊技機へ小遊技動体を供給する小遊技動体供給装置であって、
小遊技動体が通過する筒状体と、
前記筒状体を通過する小遊技動体の表面の汚れを除去する清掃手段と、を備え、
前記清掃手段が前記筒状体に形成された凸条部であり、該凸条部は前記小遊技動体の通過方向に対して傾斜しており、かつその頂部は前記小遊技動体より僅かに大きい仮想円周上に位置する、ことを特徴とする小遊技動体供給装置。
（Ｂ）  Ａに規定の装置において、前記筒状体はその軸線にそった半割形状であり、前記凸条部の周壁は割面に対して垂直である。
（Ｃ）  Ａ又はＢに規定の装置において、前記凸条部の間に形成された溝にスリットが形成されている。
（Ｄ）  Ａ〜Ｃのいずれかに記載の装置において、筒状体は上下方向の段差を有する。
【符号の説明】
【０１４６】
３０…パチンコ玉供給装置
３１…第１コイルホース
３２…第２コイルホース
３３…本体部
４０…研磨部
４１…玉通過部
４２…玉研磨材部
４２ａ…面ファスナーのループ面
４３…蓋部
４３ａ…面ファスナーのフック面
４４…玉通過部４１の取付部
４６…玉通過部４１の転動部
４７…転動部４６の玉通過路
４６ｅ，４６ｆ…転動面
４６ｇ，４６ｈ，４６ｉ，４６ｊ…傾斜面
４６ｋ…平坦面
４６ａ〜４６ｃ…転動部４６の排出孔
５０…ジョイント部
５１…ジョイント部５０の取付部
６０…スリーブストッパ部
７０…ホースストッパ部
７４，７５…係合突起
８０…ロックストッパ部
８６，８７…係止突起
１４０，２４０…半割部
１５１，４５１…ブレード
【図１】
2012011178.tif 000003
【図２】
2012011178.tif 000004
【図３】
2012011178.tif 000005
【図４】
2012011178.tif 000006
【図５】
2012011178.tif 000007
【図６】
2012011178.tif 000008
【図７】
2012011178.tif 000009
【図８】
2012011178.tif 000010
【図９】
2012011178.tif 000011
【図１０】
2012011178.tif 000012
【図１１】
2012011178.tif 000013
【図１２】
2012011178.tif 000014
【図１３】
2012011178.tif 000015
【図１４】
2012011178.tif 000016
【図１５】
2012011178.tif 000017
【図１６】
2012011178.tif 000018
【図１７】
2012011178.tif 000019
【図１８】
2012011178.tif 000020
【図１９】
2012011178.tif 000021
【図２０】
2012011178.tif 000022
【図２１】
2012011178.tif 000023
【図２２】
2012011178.tif 000024
【図２３】
2012011178.tif 000025
【図２４】
2012011178.tif 000026
【図２５】
2012011178.tif 000027
【図２６】
2012011178.tif 000028
【図２７】
2012011178.tif 000029
【図２８】
2012011178.tif 000030